(57)【要約】【課題】ゴルフボールを購入できる自動販売機、及びその自動販売機に収納可能な容器入りゴルフ商品、ゴルフ商品用容器を提供する。【解決手段】自動販売機には、複数のラックのうちの少なくとも一つに、その中に収納される容器入り飲料商品に代えて容器入りゴルフ商品が収納されており、そのゴルフ商品用容器２１は、ゴルフボールＧが収納される胴体部２２と、その開口を着脱可能に閉塞する蓋体部２３とを備え、胴体部２２に、その径方向に沿う内接円をゴルフボールＧの直径とほぼ同じかわずかに小さくした縮径部２４が形成され、該縮径部２４と胴体部２２の内底面との間に、少なくとも１個のゴルフボールＧが収納可能なスペースが形成されている。【選択図】図３
2009098926.tif 000002
【特許請求の範囲】
【請求項１】
複数の容器入り飲料商品がその種類毎に積み重ね状態に列をなして収納されるラックと、該ラックの下端で前記飲料商品を１個ずつ排出可能な払い出し機構とが飲料商品の種類毎に複数組並列に設けられるとともに、選択操作によりいずれかのラックの飲料商品の払い出し機構を作動させる払い出し制御部を有する自動販売機において、
前記ラックのうちの少なくとも一つに、その中に収納される容器入り飲料商品に代えて容器入りゴルフ商品が収納されていることを特徴とする自動販売機。
【請求項２】
前記ゴルフ商品がゴルフボールであることを特徴とする請求項１記載の自動販売機。
【請求項３】
複数の容器入り飲料商品がその種類毎に積み重ね状態に列をなして収納されるラックと、該ラックの下端で前記飲料商品を１個ずつ排出可能な払い出し機構とが飲料商品の種類毎に複数組並列に設けられるとともに、選択操作によりいずれかの組の飲料商品の払い出し機構を作動させる払い出し制御部を有する自動販売機における前記ラックに飲料商品に代えて収納可能な商品であって、
容器の内部にゴルフ商品が収納されていることを特徴とする容器入りゴルフ商品。
【請求項４】
前記ゴルフ商品がゴルフボールであることを特徴とする請求項３記載の容器入りゴルフ商品。
【請求項５】
請求項４記載の容器入りゴルフ商品に用いられる容器であって、
ゴルフボールが収納される胴体部と、その開口を着脱可能に閉塞する蓋体部とを備え、
前記胴体部に、その径方向に沿う内接円をゴルフボールの直径とほぼ同じかわずかに小さくした縮径部が形成され、該縮径部と胴体部の内底面との間に、少なくとも１個のゴルフボールが収納可能なスペースが形成されていることを特徴とするゴルフ商品用容器。
【請求項６】
請求項４記載の容器入りゴルフ商品に用いられる容器であって、
ゴルフボールが収納される胴体部と、その開口を着脱可能に閉塞する蓋体部とが弾性変形容易な材料によって形成され、
前記胴体部と蓋体部とには、周方向に沿う凸条部と、胴体部の開口に被せた蓋体部を胴体部の軸方向に押圧する操作によって前記凸条部に係合可能な凹条部とが配設され、これら凸条部と凹条部との係合位置は、胴体部の内底面からの高さ位置が、内部に収納状態の複数のゴルフボールの間に配置されるように設定されていることを特徴とするゴルフ商品用容器。
【発明の詳細な説明】
【技術分野】
【０００１】
複数の容器入り飲料商品のうちの一つに容器入り飲料商品に代えて容器入りゴルフ商品を収納した自動販売機、該自動販売機に収納可能な容器入りゴルフ商品及びゴルフ用品用容器に関する。
【背景技術】
【０００２】
自動販売機は、缶やペットボトル等の各種の容器入り飲料商品を収納して、道路の脇や家屋の軒下等に設置され、貨幣を投入することにより、所望の飲料商品を購入することができるものであり、商品陳列のための店舗や常駐の販売員を必要としないため、省スペース、無人化により採算性に優れるものである。
【０００３】
この種の自動販売機は、特許文献１に記載されるように、複数の飲料商品がその種類毎に積み重ね状態に列をなして収納されるラックと、該ラックの下端で飲料商品を１個ずつ排出可能な払い出し機構とが飲料商品の種類毎に複数組並列に設けられるとともに、選択操作によりいずれかのラックの飲料商品の払い出し機構を作動させる払い出し制御部と、払い出し機構によって払い出されてラックから落下した商品を商品取り出し口に案内するシュータとを有する構成とされている。
【特許文献１】特開２００５−２２８１１４号公報
【発明の開示】
【発明が解決しようとする課題】
【０００４】
ところで、この種の自動販売機は、種々の施設において設置されるが、設置される施設によっては、飲料以外の商品を購入できると便利な場合がある。
【０００５】
例えばゴルフ場においては、クラブハウスやコース途中の休憩所に自動販売機が設置される場合があるが、ゴルフボールの持ち合わせがなくなってしまった場合等に、そのような自動販売機でゴルフボールが購入できるようになっていると便利である。この場合、自動販売機には、その商品を収納するラックが商品毎に設けられるが、このラックの仕様を変更することなくゴルフボールの販売を可能にすることが望ましい。
【０００６】
本発明は、前記事情に鑑みてなされたもので、ゴルフボール等のゴルフ商品を購入できる自動販売機、及びその自動販売機に収納可能な容器入りゴルフ商品、ゴルフ商品用容器の提供を目的とする。
【課題を解決するための手段】
【０００７】
本発明の自動販売機は、複数の容器入り飲料商品がその種類毎に積み重ね状態に列をなして収納されるラックと、該ラックの下端で前記飲料商品を１個ずつ排出可能な払い出し機構とが飲料商品の種類毎に複数組並列に設けられるとともに、選択操作によりいずれかのラックの飲料商品の払い出し機構を作動させる払い出し制御部を有する自動販売機において、前記ラックのうちの少なくとも一つに、その中に収納される容器入り飲料商品に代えて容器入りゴルフ商品が収納されていることを特徴とする。
【０００８】
この自動販売機においては、収納される商品のうちの少なくとも一つがゴルフ商品であり、このゴルフ商品を選択することにより、通常の飲料商品と同様に払い出すことができる。したがって、この自動販売機をゴルフ場に設置することにより、顧客は、飲料商品だけでなく、ゴルフ商品を購入することも可能になる。
【０００９】
この場合、前記ゴルフ商品がゴルフボールであることとしてもよく、ゴルフ場等でゴルフボールの持ち合わせがなくなった場合などに便利である。
【００１０】
また、本発明は、複数の容器入り飲料商品がその種類毎に積み重ね状態に列をなして収納されるラックと、該ラックの下端で前記飲料商品を１個ずつ排出可能な払い出し機構とが飲料商品の種類毎に複数組並列に設けられるとともに、選択操作によりいずれかの組の飲料商品の払い出し機構を作動させる払い出し制御部を有する自動販売機における前記ラックに飲料商品に代えて収納可能な商品であって、容器の内部にゴルフ商品が収納されていることを特徴とする容器入りゴルフ商品を採用する。この場合も、前記ゴルフ商品がゴルフボールであることとしてもよい。
【００１１】
また、その容器入りゴルフ商品に用いられる容器としては、ゴルフボールが収納される胴体部と、その開口を着脱可能に閉塞する蓋体部とを備え、前記胴体部に、その径方向に沿う内接円をゴルフボールの直径とほぼ同じかわずかに小さくした縮径部が形成され、該縮径部と胴体部の内底面との間に、少なくとも１個のゴルフボールが収納可能なスペースが形成されていることを特徴とする。
【００１２】
このゴルフ商品用容器においては、胴体部に形成した縮径部の内接円がゴルフボールの直径とほぼ同じかわずかに小さく形成されているので、この縮径部をゴルフボールが通過する際には、ゴルフボールは縮径部の内周部に当接し若干の抵抗を受けることになる。このため、縮径部を開口付近に設けておくと、蓋体部を開けて単に開口を下方に向けただけの場合は、ゴルフボールは縮径部に引っ掛かってすぐには落下せず、胴体部を若干強く振ると、ゴルフボールは縮径部を通過して取り出すことができる。また、縮径部から開口までの間に１個のゴルフボールが収納されるようにしておくと、胴体部の開口を下方に向けたときに、縮径部から開口までの間に配置されていたゴルフボールは開口からそのまま落下するが、縮径部と胴体部の内底面との間に配置されていたゴルフボールは縮径部において落下が止められる。したがって、そのような収納形態の場合には、ゴルフボールを１個ずつ取り出すことが可能になる。
【００１３】
また、縮径部から開口までの間にはゴルフボールを収納しないで、縮径部と胴体部の内底面との間にのみゴルフボールを収納しておき、さらに内部に水を入れた状態で蓋体部を閉めて上下に振ると、その勢いによってゴルフボールが縮径部を通過するが、その際に縮径部の内周部に擦られることにより、外面の洗浄をすることが可能になる。なお、胴体部の途中位置に縮径部が形成される構成であるから、自動販売機のラック内に収納しても、その中での自由落下を阻害することはない。
【００１４】
また、本発明のゴルフ商品用容器は、ゴルフボールが収納される胴体部と、その開口を着脱可能に閉塞する蓋体部とが弾性変形容易な材料によって形成され、前記胴体部と蓋体部とには、周方向に沿う凸条部と、胴体部の開口に被せた蓋体部を胴体部の軸方向に押圧する操作によって前記凸条部に係合可能な凹条部とが配設され、これら凸条部と凹条部との係合位置は、胴体部の内底面からの高さ位置が、内部に収納状態の複数のゴルフボールの間に配置されるように設定されていることを特徴とする。
【００１５】
このゴルフ商品用容器においては、凸条部と凹条部との係脱によって胴体部と蓋体部との開閉がなされる構成であり、弾性変形容易な材料から形成されていることにより、胴体部と蓋体部とを凸条部と凹条部との係合位置から屈曲させる操作によっても胴体部から蓋体部を開けることが可能になる。この場合、その係合位置の内側にゴルフボールが配置されていると、凸条部と凹条部との係合部分が裏面からゴルフボールに支持されるため、胴体部と蓋体部とを屈曲状態とすることが難しくなるが、その係合位置が複数のゴルフボールの間に配置されていれば、胴体部と蓋体部とを屈曲状態とすることが可能である。
【発明の効果】
【００１６】
本発明の自動販売機によれば、飲料商品だけでなく、ゴルフ商品を購入することも可能になる。また、その自動販売機に収納されるゴルフ商品用容器は、縮径部を形成したことにより、該縮径部でゴルフボールの通過に抵抗が生じることになるので、ゴルフボールを１個ずつ取り出すことが可能になり、また、その通過の際にゴルフボールの外周面を擦ることを利用してゴルフボールの洗浄を行うことができる。さらに、凸条部と凹条部とにより係合する胴体部と蓋体部との係合位置をゴルフボールの間に配置した容器にあっては、胴体部と蓋体部とを屈曲させる操作によってゴルフボールを取り出すことができる。
【発明を実施するための最良の形態】
【００１７】
以下、本発明の自動販売機及びその自動販売機に収納される容器入りゴルフ商品、その容器の実施形態について、図面に基づいて説明する。
【００１８】
図１は自動販売機の一部を破断した斜視図である。この自動販売機１は、前面を開放可能な箱体２の内部に、缶入り飲料やペットボトル入り飲料等の商品３を横向きにして積み重ね状態に収納するラック４が複数列設けられ、各ラック４の下端に、内部の商品３を1個ずつ排出可能な払い出し機構（図示略）が設けられ、その下方には、払い出された商品３を取り出し口５へ案内するシュータ６が設けられており、その箱体２の前面を開閉する扉７に、商品取り出し口５の他に、内部の商品３を陳列する陳列窓８、該陳列窓８に沿って配列された商品選択ボタン９、貨幣投入口１０、表示窓１１等が設けられている。
【００１９】
また、貨幣投入口１０には、図示は省略するが、投入された貨幣の真偽を判別する貨幣判別機、及び真と判別された貨幣を計数する計数機等を備える貨幣受け入れ機構が接続されるとともに、該貨幣受け入れ機構と払い出し機構との間に、商品選択ボタン９により選択された商品３の料金との差額を算出する比較器、受け入れた貨幣の金額又は商品選択ボタン９が押された後は商品３の料金との差額を表示窓１１に表示させる金額表示部、受け入れた貨幣の方が商品３の金額よりも多い場合に商品選択ボタン９によって選択された商品の払い出し指令を出力する払い出し指示部等を備える払い出し制御部が設けられている。
【００２０】
各ラック４は、その上端に商品投入口１５が前方に向けて開口している。図示例では、ラック４は、各商品毎に横に並んで設けられており、各ラック４は、図２に示すように商品通路１６が複数列ずつ設けられている。これら商品通路１６は、全体としては上下方向に沿って形成されるとともに、前後方向に並んで配置され、ラック４の上端部に、前方に向けた各通路１６の商品投入口１５が上下に段をなすように配置されている。また、このラック４の各通路１６は、その前後に円弧状に湾曲した複数の側板１７が配設されていることにより、前後にジグザグ状に蛇行した通路とされている。
【００２１】
そして、この自動販売機１に収納される商品３のうちの一種が、容器入りゴルフ商品とされており、そのゴルフ商品としてゴルフボールが採用されている。この容器入りゴルフボール及びそのゴルフボールが収納される容器の第１実施形態を図３及び図４に基づいて説明する。
【００２２】
この容器入りゴルフボールは図３に示す全体形状を有しており、その容器２１は、ポリエチレンテレフタレート（ＰＥＴ）樹脂によって形成され、胴体部２２と、この胴体部２２の開口を着脱可能に閉塞する蓋体部２３とを備えた構成とされている。
【００２３】
胴体部２２は、底部を有する筒状に形成されるとともに、その高さの途中位置には上下二か所に縮径部２４が形成され、これら縮径部２４によって、上から口部２５、上側胴部２６、下側胴部２７に区画されており、その口部２５の外周におねじ部が形成されている。下側胴部２７は、ゴルフボールＧの直径より大きいほぼストレートの円筒状に形成されるとともに、上側胴部２６はゴルフボールＧの直径より大きい球殻状に形成され、両縮径部２４は、その内接円がゴルフボールＧの直径よりわずかに小さく形成されている。したがって、上側胴部２６及び下側胴部２７には、ゴルフボールＧが径方向には若干の余裕を持って収納されるが、縮径部２４においてはゴルフボールＧが通過する際には内周面がゴルフボールＧの外周面に接触して抵抗が生じるようになっている。また、図示例では、下側胴部２７は、その内底面から下側の縮径部２４までの高さがゴルフボールＧ二個分の寸法とされ、上側胴部２６はゴルフボールＧ一個分の高さとされ、下側胴部２７に二個、上側胴部２６に一個のゴルフボールＧが収納されるようになっている。
【００２４】
また、この胴体部２２の下側胴部２７の外径と上側胴部２６の最大外径とは同じ寸法とされ、例えば飲料用缶と同じ外径に設定されており、また、蓋体２３は、胴体部２２よりもわずかに小さい外径とされ、この蓋体２３を閉めた状態の全体高さは飲料用缶の高さと同じとされている。例えば、外径が５８ｍｍ、高さが１５４ｍｍに設定される。
【００２５】
このように構成したゴルフボール用容器２１は、その胴体部２２に３個のゴルフボールＧを収納した状態で蓋体部２３が閉められ、図１に示す自動販売機１の複数のラック４のうちの一つに、その内部に収納される缶入り飲料商品に代えて収納される。この場合、このゴルフボール用容器２１は、飲料用缶と同じ寸法に設定されているとともに、径方向に突出する部分がなく、下側胴部２７の外径と上側胴部２６の最大外径が同じであるから、ラック４の側版１７に全長の大部分が線接触状態となり、途中で斜めになるようなこともなく、この側版１７に沿って円滑に案内される。
【００２６】
そして、自動販売機１から取り出した後、蓋体部２３を開けてゴルフボールＧを取り出す際には、胴体部２２の開口を下に向けるが、静かに下に向けただけでは、縮径部２４にゴルフボールＧが引っ掛かって落下しない。そこで、その姿勢から胴体部２２を若干強く下方に振ると、図４に示すようにゴルフボールＧは縮径部２４を通過して取り出される。この場合、縮径部２４が二か所形成されていて、両縮径部２４の間、つまり上側胴部２６にはゴルフボールＧが１個収納されているので、図４に示すようにこの１個のゴルフボールＧが落下して、残りのゴルフボールＧは縮径部２４により落下が阻止され、収納されたままとなる。続いて胴体部２２を振れば、次のゴルフボールＧを取り出すことができる。
【００２７】
また、２個又は1個のゴルフボールＧを収納して、内部に水を入れた状態で蓋体部２３を閉め、上下に強く降ると、ゴルフボールＧが縮径部２４を繰り返し通過させられる。このとき、ゴルフボールＧの外周面が縮径部２４の内周面に擦られるので、水の作用と相まって、ゴルフボールＧの洗浄をすることができる。
【００２８】
なお、前記縮径部２４は、その内接円がゴルフボールＧの直径よりも若干小さいとして説明したが、ゴルフボールＧの直径とほぼ同じ程度の寸法であっても、同様の効果を奏することができる。また、その縮径部２４は一か所だけ形成したものとしてもよい。さらに、収納されるゴルフボールＧの個数も、自動販売機のラックに収納できる外形寸法の容器に形成できれば、３個に限らない。
【００２９】
図５は、本発明のゴルフボール商品及びその容器の第２実施形態を示している。このゴルフボール商品における容器３１は、胴体部３２も蓋体部３３も、比較的弾性変形容易な合成樹脂によりほぼストレートの円筒状に形成されるとともに、胴体部３２の開口部の外周部に凸条部３４が周方向に沿って形成され、蓋体部３３の開口部の内周部に、凸条部３４に係合可能な凹条部３５が形成されている。そして、これら凸条部３４と凹条部３５とは、胴体部３２の開口に蓋体部３３を配置して、胴体部３２の軸方向に蓋体部３３を押圧する操作によって係合されるようになっている。また、図５に示す例では、胴体部３２に２個、蓋体部３３に１個のゴルフボールＧが収納できる深さにそれぞれ設定され、胴体部３２に蓋体部３３を閉めた状態では、これらの凸条部３４及び凹条部３５の係合位置が、図５（ａ）に示すように、内部に収納状態のゴルフボールＧの間の位置に配置されるように寸法設定されている。
【００３０】
このゴルフボール商品も外径及び高さ寸法は缶入り飲料商品と同じに設定され、胴体部３２及び蓋体部３３ともストレートの円筒状であるので、自動販売機１のラック４内を円滑に移動することができる。
【００３１】
また、自動販売機１から取り出した後、胴体部３２と蓋体部３３とを握って、図５（ｂ）に示すように凸条部３４と凹条部３５との係合部から二つに折るように屈曲させると、凸条部３４と凹条部３５との係合状態が外れ、内部のゴルフボールＧを取り出すことができるようになる。
【００３２】
この場合、凸条部３４と凹条部３５との係合位置がゴルフボールＧの径の中間位置に配置されているとすると、図５（ｂ）に示すように胴体部３２と蓋体部３３とを折り曲げたとしても、凸条部３４と凹条部３５との係合位置の内周部がゴルフボールＧによって裏当て状態に支持されるため、これらの係合状態を外すことは容易でないが、図５（ａ）に示すように係合位置をゴルフボールＧの間の位置に配置したため、胴体部３２と蓋体部３３との屈曲操作によって胴体部３２から蓋体部３３を容易に外すことができる。
【００３３】
その他、図６から図８に示すような他の実施形態を採用することも可能である。図６に示す第３実施形態の容器入りゴルフ商品における容器４１は、第２実施形態と同様に全体が弾性変形容易な合成樹脂からなり、胴体部４２に、ほぼ半球状の蓋体部４３を被せて、凸条部４４と凹条部４５とによって係合する構成である。図７に示す第４実施形態の容器入りゴルフ商品における容器５１も、同じく弾性変形容易な合成樹脂からなり、深さの大きい胴体部５２に、深さの浅い蓋体部５３を被せて、凸条部５４と凹条部５５とによって係合する構成である。
【００３４】
また、図８に示す第５実施形態の容器入りゴルフ商品における容器６１は、両端を開放状態とした例えば合成樹脂製の筒状の胴体部６２に、缶に用いられているフルオープン形式の金属製の天蓋６３と底蓋６４とを取り付けたもので、天蓋６３のタブ６５を起こして天板部６６を円形に切り取ることにより開口させることができる。いずれの場合も、その外径及び高さは飲料用缶と同様に設定され、自動販売機１のラック４内を円滑に移動することができるように設計される。
【００３５】
なお、本発明は、前記各実施形態の構成に限られるものではなく、その趣旨を逸脱しない範囲で適宜変更可能である。また、容器内に収納されるゴルフ商品としては、ゴルフボール以外にもグローブ等も適用可能である。
【図面の簡単な説明】
【００３６】
【図１】本発明の自動販売機の一実施形態を示す一部を破断した斜視図である。
【図２】図１のラックを模式的に示す側面図である。
【図３】本発明の容器入りゴルフ商品の第１実施形態を示す正面図であり、（ａ）が蓋体部を閉めた状態、（ｂ）が蓋体部を開けた状態を示している。
【図４】図３の容器入りゴルフ商品において、蓋体部を開けた後の胴体部を斜めに向けてゴルフボール１個を取り出した状態を示す正面図である。
【図５】本発明の容器入りゴルフ商品の第２実施形態を示す正面図であり、（ａ）は蓋体部を閉めた状態を示し、（ｂ）は胴体部と蓋体部とを折り曲げて係合を外した状態を示している。
【図６】本発明の容器入りゴルフ商品の第３実施形態を示す正面図である。
【図７】本発明の容器入りゴルフ商品の第４実施形態を示す正面図である。
【図８】本発明の容器入りゴルフ商品の第５実施形態を示す正面図である。
【符号の説明】
【００３７】
１  自動販売機
３  商品
４  ラック
１６  通路
１７  側版
２１  容器
２２  胴体部
２３  蓋体部
２４  縮径部
２５  口部
３１  容器
３２  胴体部
３３  蓋体部
３４  凸条部
３５  凹条部
Ｇ  ゴルフボール
【図１】
2009098926.tif 000003
【図２】
2009098926.tif 000004
【図３】
2009098926.tif 000005
【図４】
2009098926.tif 000006
【図５】
2009098926.tif 000007
【図６】
2009098926.tif 000008
【図７】
2009098926.tif 000009
【図８】
2009098926.tif 000010